(57)【要約】【課題】軽量にしても剛性を損なわず、更に側壁が平滑化された塵芥収容箱を提供すること。【解決手段】塵芥収容箱３は、後方が開口した箱体３１を有する。箱体３１の側壁３１ａ，３１ｂの上下方向中央部には、中段ビード３１ｆ，３１ｇが設けられ、側壁３１ａ，３１ｂの上端部には、上段ビード３１ｄ，３１ｅが設けられ、側壁３１ａ，３１ｂの下端部には、下段ビード３１ｈ，３１ｉが設けられている。これらビード３１ｆ〜３１ｉは前後方向に延在している。また、中段ビード３１ｆ，３１ｇには、サイドパネル３２，３３の中央部が溶接され、上段ビード３１ｄ，３１ｅにはサイドパネル３２，３３の上端部が溶接され、下段ビード３１ｈ，３１ｉにはサイドパネル３３の下端部が溶接されている。サイドパネル３２，３３は緩く弓なり状に湾曲している。【選択図】図２
2005314058.tif 000002
【特許請求の範囲】
【請求項１】
後ろ側が開口した箱体の側壁にビードを設け、該ビードを前記箱体の外側からサイドパネルで覆うよう前記サイドパネルを前記側壁に貼り合わせたことを特徴とする塵芥収集車の塵芥収容箱。
【請求項２】
前記サイドパネルを前記箱体の外側へ膨出するよう弓形に湾曲させたことを特徴とする請求項１に記載の塵芥収集車の塵芥収容箱。
【請求項３】
前記ビードを前記箱体の外側に突出させ、上下方向における前記側壁の中央部において前記ビードを前後方向に延在させ、上下方向における前記サイドパネルの中央部を前記ビードに接合することを特徴とする請求項１又は２に記載の塵芥収集車の塵芥収容箱。
【請求項４】
前記ビードとは別の上段ビードを前記箱体の外側に突出させるよう且つ前後方向に延在させるよう前記側壁の上部に設け、前記サイドパネルの上端部を前記上段ビードに接合することを特徴とする請求項１から３の何れか一項に記載の塵芥収集車の塵芥収容箱。
【請求項５】
前記ビードとは別の下段ビードを前記箱体の外側へ突出させるよう且つ前後に延在させるよう前記側壁の下部に設け、前記サイドパネルの下端部を前記下段ビードに接合することを特徴とする請求項１から４の何れか一項に記載の塵芥収集車の塵芥収容箱。
【請求項６】
前記側壁と前記サイドパネルとの間に間隙を形成したことを特徴とする請求項１から５の何れか一項に記載の塵芥収集車の塵芥収容箱。
【請求項７】
前記間隙内に補強材を配設したことを特徴とする請求項６に記載の塵芥収集車の塵芥収容箱。
【発明の詳細な説明】
【技術分野】
【０００１】
本発明は、塵芥収集車に搭載される塵芥収容箱であって、塵芥を収容する塵芥収集車の塵芥収容箱に関する。
【背景技術】
【０００２】
家庭用のゴミ等を巡回収集する塵芥収集車として、運転席後方の荷台上に後部を開口した塵芥収容箱を設けたものが一般的である。塵芥収容箱は鋼製の薄板から構成されているので、塵芥収容箱の剛性を高める必要がある。そのため、リブとしての凸ビードを塵芥収容箱の側壁に設けたり、塵芥収容箱の側壁を外側に膨出するよう弓なり状に設けたりすることが行われている（特許文献１参照）。
【特許文献１】特開平９−２０４０１号公報
【発明の開示】
【発明が解決しようとする課題】
【０００３】
塵芥収容箱の側壁に凸ビードを設けた場合、その側壁が凸凹状になる。そのため、絵柄・模様等の描画されたシートを塵芥収容箱の側壁に貼着したり、絵柄・模様等を塵芥収容箱の側壁に描画したりしても、塵芥収容箱のデザイン性に欠けるので、塵芥収容箱の側壁を平滑化することが望まれる。
【０００４】
一方、塵芥収容箱の側壁を弓なり状に湾曲させた場合でも、凸ビートの場合よりも側壁の板厚を厚くしなければ高剛性を望めない。塵芥収容箱の側壁の板厚を厚くすることにより、塵芥収容箱の重量が増してしまう。
【０００５】
そこで、本発明は、上記のような問題点を解決しようとしてなされたものであり、軽量にしても剛性を損なわず、更に側壁が平滑化された塵芥収容箱を提供することを目的とする。
【課題を解決するための手段】
【０００６】
上記課題を解決するために、請求項１に記載の発明は、後ろ側が開口した箱体の側壁にビードを設け、該ビードを前記箱体の外側からサイドパネルで覆うよう前記サイドパネルを前記側壁に貼り合わせたことを特徴とする。
【０００７】
請求項１に記載の発明のように、箱体の側壁にビードが設けられており、更にサイドパネルが箱体の側壁に貼り合わせられているので、サイドパネル及び箱体の側壁からなる塵芥収容箱の側壁の剛性が向上する。従って、箱体の側壁及びサイドパネルの板厚を薄くした場合でも、塵芥収容箱の側壁の剛性を保つことができ、塵芥収容箱を軽量化することができる。
【０００８】
また、ビードがサイドパネルによって覆われているので、そのサイドパネルが塵芥収容箱の側壁の外面となる。従って、ビードによる凹凸が解消され、塵芥収容箱の側壁外面を平滑化することができる。
【０００９】
請求項２に記載の発明は、請求項１に記載の塵芥収集車の塵芥収集箱において、前記サイドパネルを前記箱体の外側へ膨出するよう弓形に湾曲させたことを特徴とする。
【００１０】
請求項２に記載の発明のように、サイドパネルが弓形に湾曲しているので、その剛性が向上し、塵芥収容箱の側壁の剛性が向上する。そのため、塵芥収容箱を軽量化することができる。
【００１１】
請求項３に記載の発明は、請求項１又は２に記載の塵芥収集車の塵芥収容箱において、前記ビードを前記箱体の外側に突出させ、上下方向における前記側壁の中央部において前記ビードを前後方向に延在させ、上下方向における前記サイドパネルの中央部を前記ビードに接合することを特徴とする。
【００１２】
請求項３に記載の発明のように、上下方向の中央部において、突出したビードにサイドパネルが接合されているので、塵芥収容箱の側壁の剛性が向上し、塵芥収容箱を軽量化することができる。
【００１３】
請求項４に記載の発明は、請求項１から３の何れか一項に記載の塵芥収集車の塵芥収容箱において、前記ビードとは別の上段ビードを前記箱体の外側に突出させるよう且つ前後方向に延在させるよう前記側壁の上部に設け、前記サイドパネルの上端部を前記上段ビードに接合することを特徴とする。
【００１４】
請求項４に記載の発明のように、箱体の側壁の上部に上段ビードを設け、その上段ビードに対してサイドパネルの上端部が接合されているので、塵芥収容箱の側壁の剛性が向上し、塵芥収容箱を軽量化することができる。
【００１５】
請求項５に記載の発明は、請求項１から４の何れか一項に記載の塵芥収集車の塵芥収容箱において、前記ビードとは別の下段ビードを前記箱体の外側へ突出させるよう且つ前後に延在させるよう前記側壁の下部に設け、前記サイドパネルの下端部を前記下段ビードに接合することを特徴とする。
【００１６】
請求項５に記載の発明のように、箱体の側壁の下部に下段ビードを設け、その下段ビードに対してサイドパネルの下端部が接合されているので、塵芥収容箱の側壁の剛性が向上し、塵芥収容箱を軽量化することができる。
【００１７】
請求項６に記載の発明は、請求項１から５の何れか一項に記載の塵芥収集車の塵芥収容箱において、前記側壁と前記サイドパネルとの間に間隙を形成したことを特徴とする。
【００１８】
請求項６に記載の発明のように、箱体の側壁とサイドパネルとの間に間隙が形成されているので、サイドパネルに対して箱体の側壁が拘束されない。例えば、サイドパネルが引張又は圧縮によって大変形しても、箱体の側壁が大変形しないで済む。従って、高強度の塵芥収容箱を提供することができる。
【００１９】
請求項７に記載の発明は、請求項６に記載の塵芥収集車の塵芥収容箱において、前記間隙内に補強材を配設したことを特徴とする。
【００２０】
請求項７に記載の発明のように、補強材が間隙に配設されているので、塵芥収容箱の強度が向上する。
【発明の効果】
【００２１】
本発明によれば、箱体の側壁及びサイドパネルの板厚を薄くした場合でも、塵芥収容箱の側壁の剛性を保つことができるので、塵芥収容箱を軽量化することができ、更にはサイドパネルによって塵芥収容箱の側壁の外面が平滑になる。
【発明を実施するための最良の形態】
【００２２】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００２３】
図１は塵芥収集車１の側面図である。図１に示すように、この塵芥収集車１は運転室の後方に荷台４を備え、荷台４上には、後ろ側が開口した塵芥収容箱３が搭載されている。塵芥収容箱３の上部後端には、塵芥投入箱２が上下に回動可能となって取り付けられており、シリンダ２０の伸縮によって塵芥投入箱２が塵芥収容箱３の後部開口を開閉するよう設けられている。
【００２４】
図２を用いて塵芥収容箱３について説明する。図２は、図１の面IIに沿った塵芥収容箱３の断面図である。図２に示すように、塵芥収容箱３は、後ろ側が開放した箱状に設けられた箱体３１と、箱体３１の右の側壁３１ａに対して間隙３４をおいて貼り合わせられた右サイドパネル３２と、箱体３１の左の側壁３１ｂに対して間隙３５をおいて貼り合わせられた左サイドパネル３３と、を備える。
【００２５】
箱体３１は鋼板で構成されている。箱体３１の天井３１ｃの左右両端と側壁３１ａ，３１ｂの上端との間の角部には、前後方向に延在した上段ビード３１ｄ，３１ｅが設けられている。箱体３１の内側から見た場合には上段ビード３１ｄ，３１ｅは前後方向に延在した溝状になっており、箱体３１の外側から見た場合には上段ビード３１ｄは箱体３１の外側右方に突出した突条になっているとともに上段ビード３１ｅは箱体３１の外側左方に突出した突条になっている。
【００２６】
上下方向における側壁３１ａ，３１ｂの中央部には、前後方向に延在した中段ビード３１ｆ，３１ｇが設けられている。箱体３１の内側から見た場合には中段ビード３１ｆ，３１ｇは前後方向に延在した溝状になっており、箱体３１の外側から見た場合には中段ビード３１ｆは箱体３１の外側右方に突出した突条になっているとともに中段ビード３１ｇは箱体３１の外側左方に突出した突条になっている。中段ビード３１ｆ，３１ｇはそれぞれの側壁３１ａ，３１ｂに対して５０〜６０ｍｍだけ突出している。
【００２７】
箱体３１の床３１ｊの左右両端と側壁３１ａ，３１ｂの下端との間の角部には、前後方向に延在した下段ビード３１ｈ，３１ｉが設けられている。箱体３１の内側から見た場合には下段ビード３１ｈ，３１ｉは前後方向に延在した溝状になっており、箱体３１の外側から見た場合には下段ビード３１ｈは箱体３１の外側右方に突出した突条になっているとともに下段ビード３１ｉは箱体３１の外側左方に突出した突条になっている。
【００２８】
箱体３１の内側において、上段ビード３１ｄ，３１ｅにおける溝が補強板３６，３７によってそれぞれ閉塞されており、補強板３６，３７の上端が天井３１ｃ内面に溶接され、補強板３６，３７の下端が側壁３１ａ，３１ｂにそれぞれ溶接されている。また、中段ビード３１ｆ，３１ｇにおける溝が補強板３８，３９によってそれぞれ閉塞されており、補強板３８，３９の上端及び下端がそれぞれ側壁３１ａ，３１ｂに溶接されている。そして、右側壁３１ａ、補強板３６及び補強板３８が互いに面一になっているとともに、左側壁３１ｂ、補強板３７及び補強板３９が互いに面一になっている。
【００２９】
また、箱体３１の内側において、下段ビード３１ｈ，３１ｉにおける溝がガイド材４０，４１によってそれぞれ閉塞されおり、ガイド材４０，４１の下端が床３１ｊ内面に溶接され、ガイド材４０，４１の上端が側壁３１ａ，３１ｂにそれぞれ溶接されている。ガイド材４０，４１は箱体３１の内側へ突出するとともに前後方向に延在した突条に設けられ、その突条には中空が設けられている。また、図面を簡略にするために図示を省略するが、ガイド材４０，４１は排出板を前後方向に案内するものであり、油圧アクチュエータで排出板が前後方向に移動するよう設けられ、排出板の後方への移動によって箱体３１内の塵芥が排出されるようになっている。
【００３０】
右側壁３１ａにおいて、上段ビード３１ｄから中段ビード３１ｆまでの間隔は、中段ビード３１ｆから下段ビード３１ｈまでの間隔に等しい。左側壁３１ｂにおいても同様に、上段ビード３１ｄから中段ビード３１ｆまでの間隔が中段ビード３１ｆから下段ビード３１ｈまでの間隔に等しい。
【００３１】
中段ビード３１ｆは右サイドパネル３２によって覆われている。上下方向における右サイドパネル３２の中央部は、箱体３１の外側において中段ビード３１ｆの頭頂部に溶接されており、右サイドパネル３２の上端部は、右側壁３１ａから右方への高さ２０〜４０ｍｍの箇所で上段ビード３１ｄに溶接されており、右サイドパネル３２の下端部は、右側壁３１ａから右方への高さ２０〜４０ｍｍの箇所で下段ビード３１ｈに溶接されている。中段ビード３１ｆが右側壁３１ａに対して５０〜６０ｍｍだけ突出しているので、右サイドパネル３２の面IIに沿った縦断面形状は、箱体３１の外側右方に膨出するよう略三角形若しくは緩く弓形に湾曲した形状となっている。右サイドパネル３２が右方に膨出するよう弓形に形成されているので、右サイドパネル３２と右側壁３１ａとの間には間隙３４が形成されている。
【００３２】
中段ビード３１ｇは左サイドパネル３３によって覆われている。上下方向における左サイドパネル３３の中央部には、箱体３１の外側において中段ビード３１ｇの頭頂部に溶接されており、左サイドパネル３３の上端部は、左側壁３１ｂから右方への高さ２０〜４０ｍｍの箇所で上段ビード３１ｅに溶接されており、左サイドパネル３３の下端部は、左側壁３１ｂから右方への高さ２０〜４０ｍｍの箇所で下段ビード３１ｉに溶接されている。中段ビード３１ｇが左側壁３１ｂに対して５０〜６０ｍｍだけ突出しているので、左サイドパネル３３の面IIに沿った縦断面形状は、箱体３１の外側左方に膨出するよう略三角形若しくは緩く弓形に湾曲した形状となっている。
【００３３】
また、箱体３１の側壁３１ａ，３１ｂの板厚は１．９ｍｍであり、サイドパネル３２，３３の板厚は０．６ｍｍである。
【００３４】
また、右サイドパネル３２は、塵芥投入箱２の右側面に対して実質的に面一に設けられており、左サイドパネル３３は、塵芥投入箱２の左側面に対して実質的に面一に設けられている。
【００３５】
また、間隙３４，３５を空洞としても良いが、間隙３４，３５に発泡ウレタンやハニカム等の補強材を配設して、補強材を右側壁３１ａと右サイドパネル３２との間や左側壁３１ｂと左サイドパネル３３との間に挟持させても良い。補強材を間隙３４，３５に配設することによって、剛性が向上する。
【００３６】
以上のように、本実施形態によれば、箱体３１の右側壁３１ａにビード３１ｄ，３１ｆ，３１ｈが設けられ、上下中央部のビード３１fで右サイドパネル３２を突出させているので、右側壁３１ａとビード３１ｆで断面が略三角形に形成され、塵芥収容箱３にごみを収容して圧縮し右側壁３１aが膨張した際、右サイドパネル３２に引張力が働いてビード３１ｆが圧縮されるので、右側壁３１aの膨張が抑えられ、その剛性が向上する。更には、右サイドパネル３２がビード３１ｄ，３１ｆ，３１ｈに接合されて右サイドパネル３２が箱体３１の右側壁３１ａに貼り合わせられているので、塵芥収容箱３全体の右側壁（箱体３１の側壁３１ａ及びサイドパネル３２からなる）の剛性が向上する。更には、右サイドパネル３２と右側壁３１ａとの間に、間隙３４が形成されているので、右側壁３１ａと右サイドパネル３２の変形が拘束されず、それぞれ別々の変形量で変形することが可能となる。
【００３７】
従って、右側壁３１ａや右サイドパネル３２の板厚を薄くしても、塵芥収容箱３全体の右側壁の剛性・強度を維持することができる。塵芥収容箱３全体の左側壁（箱体３１の左側壁３１ｂ及び左サイドパネル３３からなる）についても同様に、強度・剛性を維持しつつ軽量にすることができる。そのため、塵芥収容箱３を軽量化することができる。
【００３８】
また、右サイドパネル３２によって中段ビード３１ｆの凸状を解消することができ、塵芥収容箱３全体の右側壁の外面を平滑化することができる。塵芥収容箱３全体の左側壁の外面も同様に左サイドパネル３３によって平滑化される。そのため、塵芥収容箱３の側壁外面に絵柄・模様等を描画しても、絵柄・模様等の美観性が損なわれない。
【００３９】
また、サイドパネル３２，３３が塵芥投入箱２の側面と面一に設けられているので、サイドパネル３２，３３から塵芥投入箱２にかけて絵柄・模様等を描写しても、絵柄・模様等の美観性が損なわれない。
【００４０】
なお、本発明は、上記実施の形態に限定されることなく、本発明の趣旨を逸脱しない範囲において、種々の改良並びに設計の変更を行っても良い。
例えば、上記実施形態では右側壁３１ａにおいても左側壁３１ｂにおいても、上段ビード３１ｄ，３１ｅと下段ビード３１ｈ，３１ｉとの間にあるビードが一本の中段ビード３１ｆ，３１ｇだけであったが、複数本のビードがあっても良い。上段ビード３１ｄ，３１ｅと下段ビード３１ｈ，３１ｉとの間にある複数本のビードがある場合、それらビードのうちの何れかの頭頂部にサイドパネル３２，３３が溶接されていれば良い。
【００４１】
また、上記実施形態では各部材の接合部が全て溶接であるが、溶接に限定されない。
【図面の簡単な説明】
【００４２】
【図１】塵芥収集車１の側面図である。
【図２】図１に示された面IIに沿った断面図である。
【符号の説明】
【００４３】
３  塵芥収容箱
３１ａ、３１ｂ  側壁
３１ｄ、３１ｅ  上段ビード
３１ｆ、３１ｇ  中段ビード
３１ｈ、３１ｉ  下段ビード
３２、３３  サイドパネル
【図１】
2005314058.tif 000003
【図２】
2005314058.tif 000004